(57)【要約】【課題】電子カセッテ単体での動作状況や、電子カセッテを取付可能な架台の動作状況に応じて無駄な電力消費を回避し、その分バッテリー１回の充電や交換での撮影回数を増やして可搬型としての利点を向上させることができるＸ線撮影装置を提供すること。【解決手段】本発明に係るＸ線撮影装置は、Ｘ線検出手段の動作を制御する制御手段と、Ｘ線検出手段に電力供給するバッテリーと、Ｘ線検出面を内包する筐体の一部に、筐体が触れられたことを検知する接触検知手段を有し、接触検知手段からの情報によって制御手段はバッテリーからＸ線検出手段への電力供給の状態を変更することを特徴とする。【選択図】図２
2005173432.tif 000002
【特許請求の範囲】
【請求項１】
Ｘ線発生手段により発せられたＸ線を被写体に照射し、該被写体を透過したＸ線を、２次元に複数の光電変換素子を配置された検出面を有するＸ線検出手段に検出し、該検出手段から出力される画像信号をデジタル画像処理する画像処理手段によりモニターに前記被写体のＸ線画像を得るＸ線撮影装置において、
該Ｘ線撮影装置は、前記Ｘ線検出手段の動作を制御する制御手段と、前記Ｘ線検出手段に電力供給するバッテリーと、前記Ｘ線検出面を内包する筐体の一部に、該筐体が触れられたことを検知する接触検知手段を有し、該接触検知手段からの情報によって前記制御手段は前記バッテリーから前記Ｘ線検出手段への電力供給の状態を変更することを特徴とするＸ線撮影装置。
【請求項２】
前記Ｘ線撮影装置は、操作者が前記筐体を保持するための把手を前記筐体の一部に有し、前記接触検知手段は前記把手に設けられていることを特徴とする請求項１記載のＸ線撮影装置。
【請求項３】
Ｘ線発生手段により発せられたＸ線を被写体に照射し、該被写体を透過したＸ線を、２次元に複数の光電変換素子を配置された検出面を有するＸ線検出手段に検出し、該検出手段から出力される画像信号をデジタル画像処理する画像処理手段によりモニターに前記被写体のＸ線画像を得るＸ線撮影装置において、
該Ｘ線撮影装置は、前記Ｘ線検出手段の動作を制御する制御手段と、前記Ｘ線検出手段に電力供給するバッテリーと、前記Ｘ線検出面を内包する筐体内に、該筐体が移動されたことを検知する方向検知手段を有し、該方向検知手段からの情報によって前記制御手段は前記バッテリーから前記Ｘ線検出手段への電力供給の状態を変更することを特徴とするＸ線撮影装置。
【請求項４】
前記制御手段は、前記接触検知手段からの接触信号又は前記方向検知手段からの方向変化信号を受けて、前記Ｘ線検出手段を撮影可能状態から撮影待機状態に変更することで前記バッテリーから前記Ｘ線検出手段への電力供給を抑制することを特徴とする請求項１〜３の何れかに記載のＸ線撮影装置。
【請求項５】
Ｘ線発生手段により発せられたＸ線を被写体に照射し、該被写体を透過したＸ線を、２次元に複数の光電変換素子を配置された検出面を有するＸ線検出手段に検出し、該検出手段から出力される画像信号をデジタル画像処理する画像処理手段によりモニターに前記被写体のＸ線画像を得るＸ線撮影装置において、
該Ｘ線撮影装置は、前記Ｘ線検出手段の動作を制御する制御手段と、前記Ｘ線検出手段に電力供給するバッテリーと、前記Ｘ線検出手段を内包する筐体を着脱可能に保持する筐体収納部と、該筐体収納部を移動する移動手段と、前記筐体収納部の移動を検知する移動検知手段を有し、該移動検知手段からの情報によって前記制御手段は前記バッテリーから前記Ｘ線検出手段への電力供給の状態を変更することを特徴とするＸ線撮影装置。
【請求項６】
Ｘ線発生手段により発せられたＸ線を被写体に照射し、該被写体を透過したＸ線を、２次元に複数の光電変換素子を配置された検出面を有するＸ線検出手段に検出し、該検出手段から出力される画像信号をデジタル画像処理する画像処理手段によりモニターに前記被写体のＸ線画像を得るＸ線撮影装置において、
該Ｘ線撮影装置は、前記Ｘ線検出手段の動作を制御する制御手段と、前記Ｘ線検出手段に電力供給するバッテリーと、前記Ｘ線検出手段を内包する筐体を着脱可能に保持する筐体収納部と、該筐体収納部が触れられたことを検知する接触検知手段を有し、該接触検知手段からの情報によって前記制御手段は前記バッテリーから前記Ｘ線検出手段への電力供給の状態を変更することを特徴とするＸ線撮影装置。
【請求項７】
前記制御手段は、前記移動検知手段からの移動信号又は前記接触検知手段からの接触信号を受けて、前記Ｘ線検出手段を撮影可能状態から撮影待機状態に変更することで前記バッテリーから前記Ｘ線検出手段への電力供給を抑制することを特徴とする請求項５又は６記載のＸ線撮影装置。
【発明の詳細な説明】
【技術分野】
【０００１】
本発明は、医療診断用のＸ線撮影装置、特にＸ線の受光媒体として２次元に複数の光電変換素子が同一面上に配列されたエリアセンサを有し、且つ、可搬性を有するＸ線撮影装置に関するものである。
【背景技術】
【０００２】
被写体に放射線を照射し、被写体を透過した放射線の強度分布を検出し、被写体の放射線画像を得る方法は、工業用の非破壊検査や医療診断の場で広く一般に利用されている。被写体の放射線画像を得るための一般的方法の具体例は、放射線で蛍光を発する所謂“蛍光板”（若しくは増感紙）と銀塩フィルムを組み合わせ、Ｘ線を被写体に照射し、透過した放射線を蛍光板で可視光に変換し、銀塩フィルム上に潜像を形成した後、この銀塩フィルムを化学処理し、可視像を得る方法である。この方法で得られた放射線画像はアナログ写真であり、診断、検査等に使用される。
【０００３】
一方、最近では受像手段として、微小な光電変換素子、スイッチング素子等から成る画素を格子状に配列した２次元アレーセンサを使用し、デジタル画像を取得する技術が開発されている。これらの撮影装置は、取得した画像データを即時に表示することが可能であり、直接型Ｘ線デジタル撮影装置と呼べる。Ｘ線デジタル撮影装置のアナログ写真技術に対する利点として、フィルムレス化、画像処理による取得情報の拡大、データベース化等が挙げられる。
【０００４】
ところで、医療静止画用のＸ線撮影装置は、被写体となる患者の撮影手法に応じて、据置型と可搬型に分別される。据置型の一例としては、患者を載せるテーブル下にフィルム、又は光電変換装置を内包する撮影部を設置し、患者上方よりＸ線を照射して患者の腹部画像等を取得する。可搬型は、カセッテと呼ばれる軽量筐体にフィルムを内包したもので、患者の体の状態が悪く、病棟のベッドから据置型のあるＸ線撮影室のテーブルへ移動できない場合や、撮影手法が特殊で、据置型で撮影できない場合等に使用される。
【０００５】
可搬型は、可搬性や操作性を考慮して、極力小型化、軽量化されたものが望ましい。しかし、Ｘ線デジタル撮影装置を可搬型（以下、電子カセッテと称す）とした場合は、構成要素が多く、患者のＸ線透過像をデジタル画像データとして出力するまでには、Ｘ線画像を受光する２次元アレーセンサ、Ｘ線発生装置から発信される制御信号に応じてセンサを駆動するドライブ回路、ドライブ回路によりセンサ内マトリックスを選択し、各マトリクスのデータを増幅するアンプ、アンプからの出力をデジタルに変換するＡＤ回路、ＡＤ回路とドライブ回路で順次デジタル化された画像データをシリアライズする回路を必要とする。
【０００６】
又、各構成要素へ電力供給するためのバッテリーと、画像データを外部のコントローラーへ送信したり、ドライブ回路とコントローラー間の制御通信するための無線モジュールを必要とする。
【０００７】
図７は上述の２次元アレーセンサを使用した従来の電子カセッテの概要図である。
【０００８】
Ｘ線発生装置のＸ線管球３１によって発せられたＸ線は、被写体Ｐに照射され、被写体Ｐを透過したＸ線像が被写体Ｐとベッド３２との間に配置された電子カセッテの筐体４００内の２次元アレーセンサ（図示せず）に到達する。２次元アレーセンサは、Ｘ線像を可視化する蛍光板を有し、蛍光板で可視化されたＸ線像は可視領域に変換効率を有する２次元に配列された光電変換素子によって電子化される。
【０００９】
電子化された画像情報は、上述した回路構成を経てデジタル化され、更に無線モジュール（図示せず）で無線化されてコントローラー２００内の画像処理部１３に送られてデジタル画像データとして形成される。形成された画像は、モニター３３に表示される。デジタル化された画像データは、既存のデジタルストレージ機器３４に保存可能である。筐体内の電子回路が駆動するための電力は筐体４００内のバッテリー（図示せず）から供給される。
【００１０】
又、電子カセッテとコントローラー２００間の各種信号伝達は、無線モジュールを介して行われる。このようなＸ線発生装置と電子カセッテの構成を表した従来技術として、例えば特許文献１に記載されたものがある。従来技術では、Ｘ線発生装置と電子カセッテが連動して、Ｘ線発生装置側の動作検知手段をトリガーとして電子カセッテを撮影の動作を変更している。
【００１１】
図８は図７の電子カセッテの側面断面図である。
【００１２】
筐体４００の内部には、電子カセッテでの撮影動作を行うための各構成要素が内包されている。筐体４００内には、Ｘ線を可視化する蛍光板６と、可視光を電気信号に変換する２次元に格子状に配列された光電変換素子７と、蛍光板６及び光電変換素子７をＸ線入射側から見て裏面より支持するガラス板８と、更にガラス板を支持する基台９と、光電変換素子７からの電気信号をフラットケーブル１０を介してＡＤ変換する電気回路基板１１が構成されている。電気回路基板１１上には、２次元アレーセンサの動作を制御する制御集積回路３５が実装されている。
【００１３】
又、図示していないが、電気回路基板１１上には、光電変換素子７によって電子化された画像情報をデジタル画像データとして形成して画像処理部１３に送るためのＡ／Ｄ変換回路やシリアル回路等の回路構成が実装されている。図８のコントローラー２００と電気回路基板１１とは、無線モジュール１４を介してアンテナ１５を用いて通信が行われる。電気回路基板１１への電力供給は、バッテリー１６から分配部１７で回路上必要な電圧値に変換されて送られる。
【００１４】
【特許文献１】特開２００２−２３５５４６号公報
【発明の開示】
【発明が解決しようとする課題】
【００１５】
電子カセッテ筐体内の各構成要素は、筐体内のバッテリーから電力供給されるため、バッテリー容量が不足する前にバッテリーへの充電、又は交換が必要である。充電や交換の頻度を極力少なくして、１回の充電や交換で撮影可能な回数を多くすることが操作性の点から望ましい。
【００１６】
しかしながら、電子カセッテでは２次元アレーセンサからの出力を増幅したり画像情報をシリアライズして無線で送信するため消費される電力が多く、バッテリーの充電や交換の回数がどうしても多くなる傾向がある。バッテリー容量を増やしたり、外部の電源から有線で電力供給すれば解決できるが、筐体の重量が増したり有線化によって可搬型としての操作性が悪化してしまう。
【００１７】
例えば、特許文献１では、Ｘ線発生装置の動作状況に応じて電子カセッテの電力消費を抑えるため効果的である。
【００１８】
本発明は上記問題に鑑みてなされたもので、その目的とする処は、電子カセッテ単体での動作状況や、電子カセッテを取付可能な架台の動作状況に応じて無駄な電力消費を回避し、その分バッテリー１回の充電や交換での撮影回数を増やして可搬型としての利点を向上させることができるＸ線撮影装置を提供することにある。
【課題を解決するための手段】
【００１９】
上記の問題を解決するための本発明の請求項１に係るＸ線撮影装置は、Ｘ線検出手段の動作を制御する制御手段と、Ｘ線検出手段に電力供給するバッテリーと、Ｘ線検出面を内包する筐体の一部に、筐体が触れられたことを検知する接触検知手段を有し、接触検知手段からの情報によって制御手段はバッテリーからＸ線検出手段への電力供給の状態を変更することを特徴とする。
【００２０】
本発明の請求項２に係るＸ線撮影装置は、操作者が筐体を保持するための把手を筐体の一部に有し、請求項１の接触検知手段が把手に設けられていることを特徴とする。
【００２１】
本発明の請求項３に係るＸ線撮影装置は、Ｘ線検出手段の動作を制御する制御手段と、Ｘ線検出手段に電力供給するバッテリーと、検出面を内包する筐体内に、筐体が移動されたことを検知する方向検知手段を有し、方向検知手段からの情報によって制御手段はバッテリーからＸ線検出手段への電力供給の状態を変更することを特徴とする。
【００２２】
本発明の請求項４に係るＸ線撮影装置は、制御手段が、請求項１，２の接触検知手段からの接触信号、又は請求項３の方向検知手段からの方向変化信号を受けて、Ｘ線検出手段を撮影可能状態から撮影待機状態に変更することでバッテリーからＸ線検出手段への電力供給を抑制することを特徴とする。
【００２３】
本発明の請求項５に係るＸ線撮影装置は、Ｘ線検出手段の動作を制御する制御手段と、Ｘ線検出手段に電力供給するバッテリーと、Ｘ線検出手段を内包する筐体を着脱可能に保持する筐体収納部と、筐体収納部を移動する移動手段と、筐体収納部の移動を検知する移動検知手段を有し、移動検知手段からの情報によって制御手段はバッテリーからＸ線検出手段への電力供給の状態を変更することを特徴とする。
【００２４】
本発明の請求項６に係るＸ線撮影装置は、Ｘ線検出手段の動作を制御する制御手段と、Ｘ線検出手段に電力供給するバッテリーと、Ｘ線検出手段を内包する筐体を着脱可能に保持する筐体収納部と、筐体収納部が触れられたことを検知する接触検知手段を有し、接触検知手段からの情報によって制御手段は前記バッテリーからＸ線検出手段への電力供給の状態を変更することを特徴とする。
【００２５】
本発明の請求項７に係るＸ線撮影装置は、制御手段が、請求項５の移動検知手段からの移動信号、又は請求項６の接触検知手段からの接触信号を受けて、Ｘ線検出手段を撮影可能状態から撮影待機状態に変更することでバッテリーからＸ線検出手段への電力供給を抑制することを特徴とする。
【発明の効果】
【００２６】
本発明に係るＸ線撮影装置では、電子カセッテの筐体に接触検知スイッチや方向検知センサを設けることで電子カセッテが撮影状態か待機状態かを識別し、待機状態のときにバッテリーの消費量を抑えることで、その分バッテリー１回の充電や交換で撮影できる回数を増やし、電子カセッテとしての使用頻度を高めることができる。
【００２７】
又、電子カセッテを収納可能な据置型の架台に接触検知スイッチや移動検知センサを設けることでも同様の効果が得られる。
【００２８】
実施例では、上述の各スイッチやセンサが反応した状態のときのみ撮影待機の状態として認識したが、各スイッチやセンサが反応するのは撮影前の場合が殆どであり、そこで電子カセッテを常時待機状態に設定し、各スイッチやセンサの反応によって撮影開始を認識するトリガーとして撮影状態に移行しても良い。但し、撮影状態となってから長時間撮影が行われない場合も考えられるため、このようなときは一定時間内で撮影状態から待機状態に変更するプログラムをコントローラー側に予め設定しておけば良い。
【発明を実施するための最良の形態】
【００２９】
請求項に関わる本発明を、図示の実施例に基づいて以下に説明する。
【００３０】
図１及び図２は本発明の請求項１〜４に係る構成を表した実施例の電子カセッテである。尚、先に説明した図と同一部分には同一符号を付している。
【００３１】
図１は本発明に係る電子カセッテをＸ線入射方向から見た正面図である。
【００３２】
筐体１００のＸ線入射側正面には、筐体１００内部の２次元アレーサンサの撮影可能範囲を示す枠１と、撮影可能範囲の中心を示す十字線２が設けられている。又、筐体１００の側面には筐体１００を持ち運んだり、撮影する形態に配置するために使用する把手３が設けられている。把手３には、把手３が操作者によって握られたことを検知する接触検知スイッチ４が取り付けられている。接触検知スイッチ４は、例えばマイクロスイッチや圧電素子を内包した圧力センサ等、ＯＮ／ＯＦＦの状態を検知する小型の検知型スイッチが使用されている。
．他にも、発行ダイオード等の発光素子とフォトダイオード等の受光素子を組み合わせた光センサや、操作者の静電容量を検知する静電センサを使用しても良い。更に、筐体１００内には、筐体１００が操作者によって動かされたことを検知する方向検知センサ５が内包されている。方向検知センサ５は、例えば誘電体であるボールの移動から電圧変化で検知する角度センサや、誘電体を自己振動させて振動方向を検知する振動ジャイロが使用されている。
【００３３】
図２は筐体１００の側面断面図である。
【００３４】
筐体１００の内部には、図９と同様に、電子カセッテでの撮影動作を行うための各構成要素が内包されている。筐体１００内には、Ｘ線を可視化する蛍光板６と、可視光を電気信号に変換する２次元に格子状に配列された光電変換素子７と、蛍光板６及び光電変換素子７をＸ線入射側から見て裏面より支持するガラス板８と、更にガラス板８を支持する基台と、光電変換素子７からの電気信号をフラットケーブル１０を介してＡＤ変換する電気回路基板１１が構成されている。電気回路基板１１上には、２次元アレーセンサの動作を制御する制御集積回路１２と上述の方向検知センサ５が実装されている。
【００３５】
又、図示していないが。電気回路基板１１上には、光電変換素子７によって電子化された画像情報をデジタル画像データとして形成して画像処理部１３に送るためのＡ／Ｄ変換回路やシリアル回路等の回路構成が実装されている。図８のコントローラー２００と電気回路基板１１とは、無線モジュール１４を介してアンテナ１５を用いて通信が行われる。電気回路基板１１への電力供給は、バッテリー１６から分配部１７で回路上必要な電圧値に変換されて送られる。
【００３６】
上述の構成における作用を説明する。
【００３７】
操作者は、患者の撮影を行うために電子カセッテを撮影場所に持ち運んだり、撮影形態に合わせて電子カセッテの位置を調整するとき、筐体１００の把手３を握って作業を行う。このとき、接触検知スイッチ４は、操作者に握られたことでＯＮの状態となり、制御集積回路１２は電気回路基板１１を介して筐体１００を操作者が操作中であることを認識する。すると、制御集積回路１２は、分配部１７へ指令を送り、２次元アレーセンサの各要素への電力供給量を制限してバッテリー１６の消費量を抑制する。このとき、２次元アレーセンサでは、光電変換素子７からの出力値の増幅やシリアライズが行われず、又、画像データも形成されないため、撮影ができない待機の状態となる。
【００３８】
操作者が電子カセッテの位置調整を終えて把手３から手を離すと、接触検知スイッチ４はＯＦＦの状態となり、制御集積回路１２は電気回路基板１１を介して筐体１００が撮影状態に移行したことを認識する。すると、制御集積回路１２は、分配部１７へ指令を送り、２次元アレーセンサの各要素へ撮影動作が可能な電力の供給を行う。そして、２次元アレーセンサの各構成要素では、コントローラー２００から撮影指令を受けた場合には、上述の一連の動作を行って最後に取得した画像データを無線モジュール１４を介して画像処理部１３へ送る。
【００３９】
又、筐体１００は方向検知センサ５を内包しているため、接触検知スイッチ４の動作と同様に、撮影する状態か待機する状態かを識別することができる。つまり、筐体１００のハンドリング中は方向検知センサ５が角度変化や振動を検知して、制御集積回路１２は筐体１０を操作者が操作中であることを認識し、角度変化や振動が無い場合は撮影状態であることを認識する。
【００４０】
図３は上述の動作を模式化したブロック図である。
【００４１】
接触検知スイッチ４又は方向検知センサ５からの状態信号を受けて、制御集積回路１２は撮影状態か撮影待機状態かを識別し、それぞれの状態に応じて分配部１７へ指令を送り、電力消費量の切り替えを行う。
【００４２】
このように、接触検知スイッチ４又は方向検知センサ５で撮影する状態か待機する状態かを識別し、待機状態のときにバッテリー１６の消費量を抑えることでその分撮影回数が増え、電子カセッテとしての使用頻度を高めることができる。
【００４３】
図４及び図５本発明の請求項５〜７に係る構成を表した実施例の電子カセッテである。尚、先に説明した図と同一部分には同一符号を付している。
【００４４】
図４は本発明に係る電子カセッテを収納可能な据置型のスタンドに、電子カセッテを取り付けた場合の概要図である。
【００４５】
スタンド３００は、据置型のスタンドで、電子カセッテの筐体１００を収納可能な収納部１８と、収納部１８を図中矢印のように垂直方向に上下動するための支柱１９を有している。筐体１００は収納部１８の開口部２０より挿入され、挿入後は筐体１００の十字線２と収納部１８の十字線２１の中心がＸ線入射方向から見て同一となり、操作者は十字線２１を使用して位置の調整を行う。
【００４６】
又、収納部１８には、収納部１８の上下方向の位置調整を行うときに使用する把手２２が設けられ、更に把手２２には、把手２２が操作者によって握られたことを検知する接触検知スイッチ２３が取り付けられている。接触検知スイッチ２３は、先述の接触検知スイッチ４と同様に、例えばマイクロスイッチや圧電素子を内包した圧力センサ等、ＯＮ／ＯＦＦの状態を検知する小型の検知型スイッチが使用されている。スタンド３００に挿入された電子カセッテに対しては、Ｘ線発生装置のＸ線管球２４からＸ線が照射される。Ｘ線管球２４は、保持支柱２５で天井より支持されており、保持支柱２５は収納部１８の上下方向の移動に応じて天井からＸ線管球２４までの上下方向の距離を変更する。
【００４７】
図５は電子カセッテの筐体１００を挿入した状態のスタンド３００の側面図である。尚、先に説明した図と同一部分には同一符号を付している。
【００４８】
収納部１８と支柱１９はリフト部２６で連結されており、リフト部２６は、支柱１９の摺動レール２７をリフト部２６の摺動軸（図示せず）が移動することによって上下方向に移動する。リフト部２６の内部には、移動したことを検知する移動検知センサ２８が設けられている。移動検知センサ２８は、例えば摺動レール２７に回転軸を接触させて移動時に回転方向の抵抗を測定する可変抵抗器や、ロータリーエンコーダが使用されている。
【００４９】
又、リフト部２６の内部には、筐体１００内の制御集積回路１２と無線モジュール１４を介して通信を行う無線モジュール１９が設けられている。更に、収納部１８の内部には、筐体１０が挿入されたことを検知する検知スイッチ３０が設けられており、無線モジュール２９は、検知スイッチ３０のＯＮ／ＯＦＦの状態に応じて通信の可否を選択する。検知スイッチ３０は、先述の接触検知スイッチ２３と同様に、例えばマイクロスイッチや圧電素子を内包した圧力センサ等、ＯＮ／ＯＦＦの状態を検知する小型の検知型スイッチが使用されている。
【００５０】
上述の構成における作用を説明する。
【００５１】
操作者は、患者の撮影を行うために電子カセッテの筐体１００を把手３を用いてスタンド３００の収納部１８の開口部２０に挿入する。スタンド３００を使用する撮影形態としては、例えば胸部や頭部、腹部の撮影が主に行われる。筐体１００が収納部１８に完全に納まると、検知スイッチ３０がＯＮの状態となり、それをトリガーとして無線モジュール２９が通信可能な状態となる。
【００５２】
次に、操作者は、撮影形態や患者の体格に合わせて、収納部１８の把手２２を握って上下方向の位置調整を行う。このとき、接触検知スイッチ２３は、操作者に握られたことでＯＮの状態となり、既に通信可能な無線モジュール２９と筐体１００内の無線モジュール１４を介して制御集積回路１２に伝達される。制御集積回路１２は、収納部１８を操作者が操作中であることを認識して分配部１７へ指令を送り、２次元アレーセンサの各要素への電力供給量を制限してバッテリー１６の消費量を抑制する。このとき、２次元アレーセンサでは、光電変換素子７からの出力値の増幅やシリアライズが行われず、又、画像データも形成されないため、撮影ができない待機の状態となる。
【００５３】
操作者が収納部１８の位置調整を終えて把手２２から手を離すと、接触検知スイッチ２３はＯＦＦの状態となり、制御集積回路１２は、収納部１８が撮影状態に移行したことを認識する。すると、制御集積回路１２は、分配部１７へ指令を送り、２次元アレーセンサの各要素へ撮影動作が可能な電力の供給を行う。そして、２次元アレーセンサの各構成要素では、撮影指令を受けた場合には上述の一連の動作を行って最後に画像データを無線モジュール１４を介して画像処理部１３へ送る。
【００５４】
又、リフト部１６は、移動検知センサ２８を内包しているため、接触検知スイッチ２３の動作と同様に、撮影する状態か待機する状態かを識別することができる。つまり、収納部１８のハンドリング中は移動検知センサ２８が移動変化を検知して無線モジュール２９、１４を介して制御集積回路１２へ伝達し、制御集積回路１２は、収納部１８を操作者が操作中であることを認識し、移動変化が無い場合は撮影状態であることを認識する。
【００５５】
撮影終了後は、収納部１８から筐体１００を取り外して電子カセッテ単体での撮影が可能である。このとき、検知スイッチ３０はＯＦＦとなり、無線モジュール２９は通信しない状態となるため、接触検知スイッチ２３や移動検知センサ２８が動作しても電子カセッテ側には伝わらず誤動作することがない。
【００５６】
図６は上述の動作を模式化したブロック図である。
【００５７】
スタンド３００側の接触検知スイッチ２３、又は移動検知センサ２８からの状態信号が先ず無線モジュール２９に送られる。このとき、検知スイッチ３０で筐体１００が挿入されてＯＮとなった場合に限って無線モジュール２９から筐体１００側の無線モジュール１４へ状態信号が送られる。無線モジュール１４からの信号を受けて制御集積回路１２は撮影状態か撮影待機状態かを識別し、それぞれの状態に応じて分配部１７へ指令を送り、電力消費量の切り替えを行う。
【００５８】
このように、スタンド３００に接触検知スイッチ２３、又は移動検知センサ２８で撮影する状態か待機する状態かを識別し、待機状態のときにバッテリー１６の消費量を抑えることでその分撮影回数が増え、据置型として電子カセッテを使用した場合においても使用頻度を高めることができる。尚、図４及び図５ではスタンドを使用しているが、据置型のテーブルに上述の機構を設けても同様の効果が得られる。
【産業上の利用可能性】
【００５９】
本発明は、医療診断用のＸ線撮影装置、特にＸ線の受光媒体として２次元に複数の光電変換素子が同一面上に配列されたエリアセンサを有し、且つ、可搬性を有するＸ線撮影装置として利用性が高い。
【図面の簡単な説明】
【００６０】
【図１】本発明の請求項１〜４に係る実施例１の構成を表した正面図である。
【図２】本発明の請求項１〜４に係る実施例１の構成を表した側面図である。
【図３】本発明の請求項１〜４に係る実施例２の構成を表したブロック図である。
【図４】本発明の請求項５，６に係る実施例２の構成を表した概要図である。
【図５】本発明の請求項５〜７に係る実施例２の構成を表した側面図である。
【図６】本発明の請求項５〜７に係る実施例２の構成を表したブロック図である。
【図７】従来の電子カセッテの構成を表した概要図である。
【図８】従来の電子カセッテの構成を表した断面図である。
【符号の説明】
【００６１】
３      把手
４      接触検知スイッチ
５      方向検知センサ
１２    制御集積回路
１４    無線モジュール
１６    バッテリー
１７    分配部
１８    収納部
２２    把手
２３    接触検知スイッチ
２８    移動検知センサ
２９    無線モジュール
３０    検知スイッチ
１００  筐体
２００  コントローラー
３００  スタンド
【図１】
2005173432.tif 000003
【図２】
2005173432.tif 000004
【図３】
2005173432.tif 000005
【図４】
2005173432.tif 000006
【図５】
2005173432.tif 000007
【図６】
2005173432.tif 000008
【図７】
2005173432.tif 000009
【図８】
2005173432.tif 000010